(57)【要約】【課題】  落下の際の衝撃や構造物にぶつけた際の衝撃、筐体のゆがみによって表示パネル、回路基板及びタッチパネルが破損するのを抑制することができる携帯型プログラマブル表示器を提供する。【解決手段】  開口部１３が形成されたフロントケース１０と、液晶パネル２４の周囲を取り囲むように配置され、液晶パネル２４の端部を挟み込む断面形状からなるパネル緩衝材２３と、底枠２２ａ及び側壁２２ｂからなり、液晶パネル２４及びパネル緩衝材２３が背面側から収容され、底枠２２ａの前面にタッチパネル２１の周縁部が固着されたパネルホルダー２２と、タッチパネル２１よりも外側において、底枠２２ａの前面及びフロントケース１０の内面により挟まれるホルダー緩衝材４により構成される。パネル緩衝材２３は、その前面及び側面をパネルホルダー２２の内面に当接させた状態で保持される。【選択図】  図４
2011238027.tif 000002
【特許請求の範囲】
【請求項１】
いずれもガラス板からなる表示パネル及びタッチパネルが並設された携帯型プログラマブル表示器において、
開口部が形成された前筐体と、
上記表示パネルの周囲を取り囲むように配置され、上記表示パネルの端部を挟み込む断面形状からなるパネル緩衝材と、
底枠及び側壁からなり、上記表示パネル及び上記パネル緩衝材が背面側から収容され、上記底枠の前面に上記タッチパネルの周縁部が固着されたパネルホルダーと、
上記タッチパネルよりも外側において、上記底枠の前面及び上記前筐体の内面により挟まれるホルダー緩衝材とを備え、
上記パネル緩衝材は、その前面及び側面を上記パネルホルダーの内面に当接させた状態で保持されることを特徴とする携帯型プログラマブル表示器。
【請求項２】
上記パネルホルダーに背面側から当接させるホルダー当接部を有するフレームと、
上記フレーム及び上記前筐体を係合させる第１締結部品と、
第１締結部品を貫通させるリング形状からなり、上記フレーム及び上記前筐体により挟まれる第１緩衝リングとを備えたことを特徴とする請求項１に記載の携帯型プログラマブル表示器。
【請求項３】
上記フレームの背面に対向させて配置された回路基板と、
上記フレーム及び上記回路基板を係合させる第２締結部品と、
第２締結部品を貫通させるリング形状からなり、上記フレーム及び上記回路基板により挟まれる第２緩衝リングとを備えたことを特徴とする請求項２に記載の携帯型プログラマブル表示器。
【請求項４】
上記フレームは、上記パネル緩衝材の背面に当接させる緩衝材当接部を有することを特徴とする請求項２に記載の携帯型プログラマブル表示器。
【請求項５】
上記前筐体は、上記開口部を挟んで形成され、上記開口部よりも前方に突出する２つの突出部を有することを特徴とする請求項１に記載の携帯型プログラマブル表示器。
【発明の詳細な説明】
【技術分野】
【０００１】
本発明は、携帯型プログラマブル表示器に係り、さらに詳しくは、制御装置の動作状態を監視するための携帯型プログラマブル表示器の改良に関する。
【背景技術】
【０００２】
ＦＡ（Factory Automation）システムでは、センサー装置、駆動装置などの入出力機器を制御する制御装置として、ＰＬＣ（Programmable Logic Controller：プラグラマブルロジックコントローラ）が用いられる。ＰＬＣの動作状態は、プログラマブル表示器によって監視することができる。プログラマブル表示器は、主として、ＰＬＣの動作状態をモニターするための表示装置であり、動作中のＰＬＣから動作状態を示す状態データを取得して画面表示させる。通常、プログラマブル表示器は、画面データに基づいて動作し、画面データを書き換えることにより、所望の動作を行わせることができる。
【０００３】
携帯型のプログラマブル表示器では、手に持って操作することから、誤って落下させ、或いは、構造物にぶつけてしまうことが考えられる。特に、表示パネルとして液晶パネルを用いる表示器の場合、落下の際の衝撃や構造物にぶつけた際の衝撃、筐体のゆがみにより、液晶パネルのガラス板が破損し、或いは、液晶パネルの駆動回路などが設けられる回路基板が割れるなどの損傷が生じることが考えられる。また、表示パネル及びタッチパネルが並設された表示器の場合には、タッチパネルが破損することも考えられる。タッチパネルは、操作位置を検出する位置検出用のセンサーであり、表示パネルの前面に対向させて配置されるガラス板からなる。従来のプログラマブル表示器には、落下の際の衝撃などに対し、液晶パネルや回路基板を保護する保護構造を設けたものはなく、耐衝撃性能を向上させることが望まれる。
【発明の概要】
【発明が解決しようとする課題】
【０００４】
本発明は、上記事情に鑑みてなされたものであり、耐衝撃性能を向上させた携帯型プログラマブル表示器を提供することを目的とする。特に、落下の際の衝撃や構造物にぶつけた際の衝撃、筐体のゆがみによって表示パネル、回路基板及びタッチパネルが破損するのを抑制することができる携帯型プログラマブル表示器を提供することを目的とする。
【課題を解決するための手段】
【０００５】
第１の本発明による携帯型プログラマブル表示器は、いずれもガラス板からなる表示パネル及びタッチパネルが並設された携帯型プログラマブル表示器であって、開口部が形成された前筐体と、上記表示パネルの周囲を取り囲むように配置され、上記表示パネルの端部を挟み込む断面形状からなるパネル緩衝材と、底枠及び側壁からなり、上記表示パネル及び上記パネル緩衝材が背面側から収容され、上記底枠の前面に上記タッチパネルの周縁部が固着されたパネルホルダーと、上記タッチパネルよりも外側において、上記底枠の前面及び上記前筐体の内面により挟まれるホルダー緩衝材とを備え、上記パネル緩衝材が、その前面及び側面を上記パネルホルダーの内面に当接させた状態で保持されるように構成される。
【０００６】
この携帯型プログラマブル表示器では、表示パネルが、その端部を挟み込む断面形状のパネル緩衝材を介してパネルホルダーにより保持され、前方向、上下方向及び左右方向の移動が規制される。さらに、パネルホルダー自体も、ホルダー緩衝材を介して前筐体により保持され、前方向の移動が規制される。この様な構成によれば、前筐体を介して表示パネルに加えられる衝撃や前筐体のゆがみの影響がパネル緩衝材及びホルダー緩衝材により緩和されるので、落下の際の衝撃や構造物にぶつけた際の衝撃、筐体のゆがみによって表示パネルのガラス板が破損するのを抑制することができる。また、タッチパネルについても、その周縁部が固着されるパネルホルダーがホルダー緩衝材を介して前筐体により保持され、前方向の移動が規制されるので、前筐体を介してタッチパネルに加えられる衝撃や前筐体のゆがみの影響がホルダー緩衝材により緩和され、落下の際の衝撃などによってタッチパネルのガラス板が破損するのを抑制することができる。
【０００７】
第２の本発明による携帯型プログラマブル表示器は、上記構成に加え、上記パネルホルダーに背面側から当接させるホルダー当接部を有するフレームと、上記フレーム及び上記前筐体を係合させる第１締結部品と、第１締結部品を貫通させるリング形状からなり、上記フレーム及び上記前筐体により挟まれる第１緩衝リングとを備えて構成される。
【０００８】
この携帯型プログラマブル表示器では、前筐体に係合されたフレームのホルダー当接部により、パネルホルダーの後方向への移動が規制され、フレーム自体は、第１緩衝リングを介して前筐体により前方向への移動が規制される。この様な構成によれば、表示パネル及びパネル緩衝材が収容されたパネルホルダーを前筐体とフレームとの間で前方向に移動可能に保持させることができる。
【０００９】
第３の本発明による携帯型プログラマブル表示器は、上記構成に加え、上記フレームの背面に対向させて配置された回路基板と、上記フレーム及び上記回路基板を係合させる第２締結部品と、第２締結部品を貫通させるリング形状からなり、上記フレーム及び上記回路基板により挟まれる第２緩衝リングとを備えて構成される。
【００１０】
この携帯型プログラマブル表示器では、フレームに係合された回路基板が、第２緩衝リングを介してフレームにより前方向への移動が規制され、フレーム自体も第１緩衝リングを介して前筐体により前方向への移動が規制される。この様な構成によれば、前筐体を介して回路基板に加えられる衝撃や前筐体のゆがみの影響が第１緩衝リング及び第２緩衝リングにより緩和されるので、落下の際の衝撃や構造物にぶつけた際の衝撃、筐体のゆがみによって回路基板が破損するのを抑制することができる。
【００１１】
第４の本発明による携帯型プログラマブル表示器は、上記構成に加え、上記フレームが、上記パネル緩衝材の背面に当接させる緩衝材当接部を有するように構成される。この様な構成によれば、パネル緩衝材の後方向への移動をパネルホルダーにより規制させる場合に比べ、パネルホルダーの構成を簡素化することができる。
【００１２】
第５の本発明による携帯型プログラマブル表示器は、上記構成に加え、上記前筐体が、上記開口部を挟んで形成され、上記開口部よりも前方に突出する２つの突出部を有するように構成される。この様な構成によれば、前筐体の開口部に配置されるタッチパネルや表示パネルに構造物がぶつかるのを抑制することができる。
【発明の効果】
【００１３】
本発明による携帯型プログラマブル表示器によれば、前筐体を介して表示パネルに加えられる衝撃や前筐体のゆがみの影響がパネル緩衝材及びホルダー緩衝材により緩和されるので、落下の際の衝撃や構造物にぶつけた際の衝撃、筐体のゆがみによって表示パネルが破損するのを抑制することができる。また、タッチパネルについても、その周縁部が固着されるパネルホルダーがホルダー緩衝材を介して前筐体により保持され、前方向の移動が規制されるので、前筐体を介してタッチパネルに加えられる衝撃や前筐体のゆがみの影響がホルダー緩衝材により緩和され、落下の際の衝撃などによってタッチパネルが破損するのを抑制することができる。また、前筐体を介して回路基板に加えられる衝撃や前筐体のゆがみの影響が第１緩衝リング及び第２緩衝リングにより緩和されるので、落下の際の衝撃や構造物にぶつけた際の衝撃、筐体のゆがみによって回路基板が破損するのを抑制することができる。従って、耐衝撃性能が向上した携帯型プログラマブル表示器を実現することができる。
【図面の簡単な説明】
【００１４】
【図１】本発明の実施の形態による携帯型プログラマブル表示器１００の一構成例を示した外観図である。
【図２】図１の携帯型プログラマブル表示器１００の構成例を示した分解斜視図である。
【図３】図１の携帯型プログラマブル表示器１００の構成例を示した断面図であり、Ａ−Ａ線による切断面が示されている。
【図４】図１の携帯型プログラマブル表示器１００の要部における構成例を模式的に示した説明図であり、Ａ−Ａ線による切断面の様子が拡大して示されている。
【図５】図１の携帯型プログラマブル表示器１００の構成例を示した断面図であり、Ｂ−Ｂ線による切断面が示されている。
【図６】図１の携帯型プログラマブル表示器１００の構成例を模式的に示した説明図であり、パネルホルダー２２に対するタッチパネル２１の取付構造が示されている。
【発明を実施するための形態】
【００１５】
＜表示器の外観＞
図１（ａ）〜（ｃ）は、本発明の実施の形態による携帯型のプログラマブル表示器１００の一構成例を示した外観図である。図１（ａ）には、プログラマブル表示器１００を上側から見た様子が示され、図１（ｂ）には、正面から見た様子が示され、図１（ｃ）には、右側から見た様子が示されている。
【００１６】
このプログラマブル表示器１００は、その動作を規定する画面データを書き換えることができ、ＰＬＣの動作状態を監視するのに用いられる表示器であり、手に持った状態で操作することができる。プログラマブル表示器１００の筐体は、フロントケース１０及びリアケース４０からなり、フロントケース１０の前面が表示面となっている。
【００１７】
フロントケース１０は、表示パネルを配置するための開口部１３が形成された前筐体であり、表示面には、開口部１３を覆うカバーシート１が固着されている。カバーシート１は、フロントケース１０の表示面を保護するための透明樹脂からなるフィルム状の保護カバーである。
【００１８】
フロントケース１０には、開口部１３よりも前方に突出する２つのリブ１４が形成されている。各リブ１４は、開口部１３を挟んで形成された突出部である。この例では、リブ１４が、開口部１３に沿って形成され、上下方向に延伸した形状からなる直線状の突出部であり、フロントケース１０の左右の両端部に配置されている。このリブ１４により、落下時に、フロントケース１０の表示面に構造物などが直撃するのを抑制することができるとともに、フロントケース１０自体の剛性を高くすることができる。また、リブ１４を設けることにより、表示面を手前に向けてプログラマブル表示器１００を両方の手で保持する際の指掛かりが良くなるので、操作性を向上させることができる。フロントケース１０には、電源スイッチ２や緊急停止スイッチ３なども設けられている。
【００１９】
リアケース４０は、フロントケース１０の背面側に配置される後筐体であり、表示パネルなどを収容した状態でフロントケース１０に取り付けられる。このリアケース４０には、手で握るためのグリップ部４１や、片方の手でグリップ部４１を握った状態で操作することができる安全スイッチ４２などが設けられている。グリップ部４１は、リアケース４０の上端に沿って形成され、中央部に親指を挿通させる開口４１ａが設けられている。
【００２０】
＜分解斜視図＞
図２は、図１の携帯型プログラマブル表示器１００の構成例を示した分解斜視図である。このプログラマブル表示器１００は、カバーシート１、電源スイッチ２、緊急停止スイッチ３、フロントケース１０、ホルダー緩衝材４、タッチパネル２１、パネルホルダー２２、パネル緩衝材２３、液晶パネル２４、メインフレーム３０、回路基板５、リアケース４０、安全スイッチ４２及びグリップ部４１により構成される。
【００２１】
このプログラマブル表示器１００では、液晶パネル２４及びパネル緩衝材２３がパネルホルダー２２内に収容された状態で、パネルホルダー２２がホルダー緩衝材４を介してフロントケース１０に取り付けられる。
【００２２】
フロントケース１０には、表示パネル用の開口部１３の他に、電源スイッチ２を配置するための開口部１１と、緊急停止スイッチ３を配置するための開口部１２が形成されている。ホルダー緩衝材４は、フロントケース１０を介してパネルホルダー２２に伝わる衝撃を吸収させるための緩衝部品であり、タッチパネル２１よりも外側に配置される環状の緩衝材からなる。このホルダー緩衝材４は、偏平な矩形の断面形状からなる。
【００２３】
タッチパネル２１は、操作位置を検出する位置検出用のセンサーであり、ガラス基板からなる。タッチパネル２１により、ユーザの指がカバーシート１に触れた際の指の位置に応じた検出信号が出力される。このタッチパネル２１としては、例えば、静電容量方式のセンサーが用いられる。
【００２４】
液晶パネル２４は、表示のために液晶組成物を用いる表示パネルであり、偏光フィルタやガラス板、液晶からなる。パネル緩衝材２３は、パネルホルダー２２を介して液晶パネル２４に伝わる衝撃を吸収させるための緩衝部品であり、液晶パネル２４の周囲を取り囲むように配置され、液晶パネル２４の端部を挟み込む断面形状の緩衝材からなる。
【００２５】
パネルホルダー２２は、底枠及び側壁からなる枠体であり、液晶パネル２４及びパネル緩衝材２３が背面側から収容され、底枠の前面にタッチパネル２１の周縁部が固着される。
【００２６】
タッチパネル２１、パネルホルダー２２、パネル緩衝材２３及び液晶パネル２４は、１つの表示パネルアッシー２０を構成し、これらの部品を表示パネルアッシー２０として組み立ててから、フロントケース１０の開口部１３に装着される。その際、ホルダー緩衝材４は、フロントケース１０の開口部１３に配置されたパネルホルダー２２とフロントケース１０との間に前後方向から挟まれる。
【００２７】
メインフレーム３０は、フロントケース１０や回路基板５を補強するための平板状の構造体であり、表示パネルアッシー２０の背面に対向させて配置される。メインフレーム３０には、フロントケース１０に取り付けるための筐体取付部３１などが設けられている。回路基板５は、液晶パネル２４を駆動するための回路部品やタッチパネル２１を制御するための回路部品などが設けられる配線基板であり、メインフレーム３０の背面に対向させて配置される。
【００２８】
＜Ａ−Ａ断面図＞
図３は、図１の携帯型プログラマブル表示器１００の構成例を示した断面図であり、Ａ−Ａ線による切断面が示されている。液晶パネル２４は、その端部がパネル緩衝材２３より挟み込まれた状態でパネルホルダー２２内に収容されている。一方、タッチパネル２１は、液晶パネル２４の前面に対向させて配置され、周縁部がパネルホルダー２２に固着されている。
【００２９】
メインフレーム３０は、液晶パネル２４の背面に対向させて配置され、フロントケース１０に取り付けられている。回路基板５は、メインフレーム３０の背面に対向させて配置され、メインフレーム３０に取り付けられている。
【００３０】
＜液晶パネル周りの保護構造＞
図４は、図１の携帯型プログラマブル表示器１００の要部における構成例を模式的に示した説明図であり、Ａ−Ａ線による切断面の様子が拡大して示されている。タッチパネル２１は、その周縁部が接着シート６を介してパネルホルダー２２に固着されている。
【００３１】
接着シート６は、タッチパネル２１の周縁に沿った形状からなる環状の接着シートであり、パネルホルダー２２を介してタッチパネル２１に伝わる衝撃を吸収させるために、弾性を有するフィルム状の接着剤からなる。
【００３２】
液晶パネル２４は、その周囲がパネル緩衝材２３によって取り囲まれている。パネル緩衝材２３は、液晶パネル２４の周囲に沿った形状からなる環状の緩衝部品であり、液晶パネル２４の端部を挟み込む断面形状からなる。このパネル緩衝材２３は、その断面が、液晶パネル２４の前面、端面及び背面に接するＵ字形状からなる。つまり、パネル緩衝材２３は、液晶パネル２４の端部を前面から端面を経て背面に回り込む断面形状からなる。
【００３３】
パネルホルダー２２は、底枠２２ａ及び側壁２２ｂからなる環状形状の構造体であり、液晶パネル２４及びパネル緩衝材２３が背面側から収容される。底枠２２ａは、フロントケース１０の表示面に沿って延伸する断面形状からなり、前面には、接着シート６を介してタッチパネル２１が固着され、背面には、パネル緩衝材２３の前面が当接している。接着シート６は、底枠２２ａの前面とタッチパネル２１の背面との間に配置されている。
【００３４】
側壁２２ｂは、その内面をパネル緩衝材２３の側面に当接させる形状からなり、パネル緩衝材２３の周囲を取り囲むように形成されている。この側壁２２ｂには、パネル緩衝材２３に当接させる緩衝材当接部２２ｃが形成されている。緩衝材当接部２２ｃは、液晶パネル２４及びパネル緩衝材２３の上下方向及び左右方向の移動を規制し、液晶パネル２４を表示面内で位置決めするための突出部であり、フロントケース１０の表示面に沿って延伸する断面形状からなる。
【００３５】
パネル緩衝材２３は、その前面及び側面をパネルホルダー２２の内面、すなわち、底枠２２ａの背面及び側壁２２ｂの緩衝材当接部２２ｃにそれぞれ当接させた状態で保持される。つまり、液晶パネル２４は、パネルホルダー２２により、パネル緩衝材２３を介して液晶パネル２４の前方向、上下方向及び左右方向の移動が規制されている。
【００３６】
パネルホルダー２２は、タッチパネル２１が底枠２２ａの前面に固着され、液晶パネル２４及びパネル緩衝材２３が背面側から収容された状態で、フロントケース１０の開口部１３に配置される。
【００３７】
フロントケース１０は、タッチパネル２１、パネルホルダー２２、パネル緩衝材２３及び液晶パネル２４からなる表示パネルアッシー２０やメインフレーム３０を収容するための前筐体であり、開口周縁部１０ａにホルダーガイド部１０ｂが設けられている。パネルホルダー２２は、開口周縁部１０ａとの間でホルダー緩衝材４を挟み込んだ状態で配置される。
【００３８】
ホルダー緩衝材４は、タッチパネル２１よりも外側において、底枠２２ａの前面と開口周縁部１０ａの内面とにより挟まれる環状の緩衝部品である。つまり、パネルホルダー２２は、ホルダー緩衝材４を介して開口周縁部１０ａにより前方向への移動が規制されている。
【００３９】
ホルダーガイド部１０ｂは、背面側に延伸する断面形状からなる突出部であり、開口部１３に沿って形成されている。パネルホルダー２２は、ホルダーガイド部１０ｂと当接することにより、上下方向及び左右方向への移動が規制されている。
【００４０】
メインフレーム３０は、フロントケース１０や回路基板５を補強するためのフレームであり、筐体取付部３１、ホルダー当接部３２、緩衝材当接部３３及び基板取付部３４が設けられている。筐体取付部３１は、ネジなどの締結部品５３を用いてメインフレーム３０をフロントケース１０に取り付けるための締結部であり、メインフレーム３０の周縁部に複数個所設けられている。
【００４１】
メインフレーム３０は、締結部品５３を貫通させるリング形状からなる緩衝リング７を介してフロントケース１０に取り付けられている。緩衝リング７は、フロントケース１０を介してメインフレーム３０に伝わる衝撃を吸収させるための円環状の緩衝部品であり、断面が略円形形状の緩衝材からなる。この緩衝リング７は、メインフレーム３０の筐体取付部３１とフロントケース１０のフレーム取付部１０ｃとにより挟まれている。つまり、メインフレーム３０は、緩衝リング７を筐体取付部３１とフレーム取付部１０ｃとの間に挟み込んだ状態で取り付けられる。また、メインフレーム３０は、筐体取付部３１が締結部品５３により前方向に押圧された状態で、緩衝リング７を介してフレーム取付部１０ｃに保持される。
【００４２】
ホルダー当接部３２は、パネルホルダー２２に当接させるための突起部であり、緩衝材当接部３３は、パネル緩衝材２３に当接させるための突起部である。ホルダー当接部３２及び緩衝材当接部３３は、いずれもメインフレーム３０の前面に配置され、それぞれ複数個所設けられている。緩衝材当接部３３は、ホルダー当接部３２よりも先端面の面積が広い。
【００４３】
タッチパネル２１は、フロントケース１０に対し、パネルホルダー２２及びホルダー緩衝材４を介して前方向への移動が規制され、接着シート６及びパネルホルダー２２を介して上下方向及び左右方向への移動が規制されている。また、タッチパネル２１は、フロントケース１０に対し、接着シート６、パネルホルダー２２及びメインフレーム３０を介して後方向への移動が規制されている。つまり、タッチパネル２１は、ホルダー緩衝材４と接着シート６により、フロントケース１０に対して、前後方向、上下方向及び左右方向に移動可能に保持されている。
【００４４】
一方、液晶パネル２４は、フロントケース１０に対し、パネル緩衝材２３、パネルホルダー２２及びホルダー緩衝材４を介して前方向への移動が規制され、パネル緩衝材２３及びパネルホルダー２２を介して上下方向及び左右方向への移動が規制されている。また、液晶パネル２４は、フロントケース１０に対し、パネル緩衝材２３及びメインフレーム３０を介して後方向への移動が規制されている。つまり、液晶パネル２４は、パネル緩衝材２３とホルダー緩衝材４により、フロントケース１０に対して、前後方向、上下方向及び左右方向に移動可能に保持されている。
【００４５】
フロントケース１０に対する前方向の移動に関し、タッチパネル２１がホルダー緩衝材４により前方向への移動が可能なシングルフローティング構造となっているのに対し、液晶パネル２４は、パネル緩衝材２３とホルダー緩衝材４により前方向への移動が可能なダブルフローティング構造となっている。
【００４６】
タッチパネル２１及び液晶パネル２４を保持するパネルホルダー２２をホルダー緩衝材４によりフロントケース１０からフローティングさせることにより、フロントケース１０を介してタッチパネル２１や液晶パネル２４に伝わる衝撃を分散させることができる。また、メインフレーム３０のホルダー当接部３２をパネルホルダー２２に当接させてパネルホルダー２２の後方向への移動を規制することにより、タッチパネル２１に対する押下操作時に、タッチパネル２１が沈み込むのを抑制することができる。
【００４７】
基板取付部３４は、締結部品５２を用いて回路基板５をメインフレーム３０に取り付けるための締結部であり、メインフレーム３０内に複数個所設けられている。回路基板５は、回路部品５１が設けられた配線基板であり、メインフレーム３０の背面に対向させて配置されている。回路基板５は、締結部品５２を貫通させるリング形状からなる緩衝リング８を介してメインフレーム３０に取り付けられている。
【００４８】
緩衝リング８は、メインフレーム３０を介して回路基板５に伝わる衝撃を吸収させるための円環状の緩衝部品であり、断面が略円形形状からなる。この緩衝リング８は、メインフレーム３０の基板取付部３４と回路基板５とにより挟まれている。つまり、回路基板５は、緩衝リング８を基板取付部３４との間に挟み込んだ状態で取り付けられる。また、回路基板５は、締結部品５２により前方向に押圧された状態で、緩衝リング８を介して基板取付部３４に保持される。
【００４９】
ここで、ホルダー緩衝材４、パネル緩衝材２３、緩衝リング７及び８を構成する緩衝材としては、衝撃吸収性能が優れた樹脂部材、例えば、発泡ウレタン（ウレタンフォーム）などの熱可塑性のゲル材が用いられる。また、その様な部材からなるホルダー緩衝材４、パネル緩衝材２３、緩衝リング７及び８は、射出成形により形成される。
【００５０】
＜Ｂ−Ｂ断面図＞
図５は、図１の携帯型プログラマブル表示器１００の構成例を示した断面図であり、Ｂ−Ｂ線による切断面が示されている。回路基板５は、メインフレーム３０の背面に対向させて配置され、締結部品５２を用いてメインフレーム３０の基板取付部３４に取り付けられている。回路基板５は、締結部品５２を貫通させる緩衝リング８を介して基板取付部３４に取り付けられている。
【００５１】
＜タッチパネルの取付構造＞
図６は、図１の携帯型プログラマブル表示器１００の構成例を模式的に示した説明図であり、パネルホルダー２２に対するタッチパネル２１の取付構造が示されている。タッチパネル２１は、パネルホルダー２２に対し、接着シート６を介して固着される。
【００５２】
接着シート６は、弾性を有する接着剤からなる環状のシート部材である。例えば、発泡ウレタンを基材とする両面粘着テープが接着シート６として用いられる。タッチパネル２１は、その周縁部が、この様な接着シート６により、パネルホルダー２２の底枠２２ａに固着される。
【００５３】
本実施の形態によれば、フロントケース１０を介して液晶パネル２４に加えられる衝撃やフロントケース１０のゆがみの影響がパネル緩衝材２３及びホルダー緩衝材４により緩和されるので、落下の際の衝撃や構造物にぶつけた際の衝撃、筐体のゆがみによって液晶パネル２４のガラス板などが破損するのを抑制することができる。
【００５４】
また、タッチパネル２１についても、その周縁部が固着されるパネルホルダー２２がホルダー緩衝材４を介してフロントケース１０により保持され、前方向の移動が規制されるので、フロントケース１０を介してタッチパネル２１に加えられる衝撃や筐体のゆがみの影響がホルダー緩衝材４により緩和され、落下の際の衝撃などによってタッチパネル２１のガラス基板などが破損するのを抑制することができる。
【００５５】
また、フロントケース１０を介して回路基板５に加えられる衝撃や筐体のゆがみの影響が緩衝リング７，８により緩和されるので、落下の際の衝撃や構造物にぶつけた際の衝撃、筐体のゆがみによって回路基板５が破損するのを抑制することができる。さらに、メインフレーム３０の緩衝材当接部３３を当接させることにより、パネル緩衝材２３の後方向への移動を規制させるので、パネルホルダー２２により規制させる場合に比べ、パネルホルダー２２の構成を簡素化することができる。また、リブ１４を設けることにより、フロントケース１０の開口部１３に配置されるタッチパネル２１や液晶パネル２４に構造物がぶつかるのを抑制することができるとともに、筐体の強度を向上させることができる。
【００５６】
なお、本実施の形態では、表示パネルとして液晶パネル２４が用いられる場合の例について説明したが、本発明はこれに限られるものではなく、液晶パネル２４以外の表示パネルを用いるプログラマブル表示器も本発明には含まれる。例えば、電圧の印加により発光する発光体がガラス基板上に形成されたＥＬ（Electro-Luminescence）パネルを表示パネルとして用いても良い。
【符号の説明】
【００５７】
１  カバーシート
２  電源スイッチ
３  緊急停止スイッチ
４  ホルダー緩衝材
５  回路基板
６  接着シート
７，８  緩衝リング
１０  フロントケース
１０ａ  開口周縁部
１０ｂ  ホルダーガイド部
１０ｃ  フレーム取付部
１１，１２  スイッチ用の開口部
１３  表示パネル用の開口部
１４  リブ
２０  表示パネルアッシー
２１  タッチパネル
２２  パネルホルダー
２２ａ  底枠
２２ｂ  側壁
２２ｃ  緩衝材当接部
２３  パネル緩衝材
２４  液晶パネル
３０  メインフレーム
３１  筐体取付部
３２  ホルダー当接部
３３  緩衝材当接部
３４  基板取付部
４０  リアケース
４１  グリップ部
４１ａ  開口
４２  安全スイッチ
５１  回路部品
５２，５３  締結部品
１００  携帯型プログラマブル表示器
【図１】
2011238027.tif 000003
【図２】
2011238027.tif 000004
【図４】
2011238027.tif 000005
【図６】
2011238027.tif 000006
【図３】
2011238027.tif 000007
【図５】
2011238027.tif 000008